(57)【要約】      （修正有）【課題】風力で回る装飾効果の高い回転くす玉を提供する。【解決手段】軸３０と、花軸方向を前記軸３０放射直線に対して一方向に傾斜、旋回させて複数の花部１２を球状あるいは円筒状等に形成したくす玉１０と、縒り戻し具４１と、吊糸４０とを備え、前記くす玉１０を前記軸３０に接続して、前記軸３０を前記縒り戻し具４１を介して前記吊糸４０に回転自由に支持して構成する。【選択図】図１
2006087860.tif 000002
【特許請求の範囲】
【請求項１】
軸（３０）と、花軸（１２３、２２３）を前記軸（３０）放射直線に対して一方向に傾斜して複数の花部（１２、２２）を形成するくす玉（１０）を備え、前記くす玉（１０）を前記軸（３０）に回転自由に支持することを特徴とする回転くす玉。
【請求項２】
前記軸（３０）を縒り戻し具（４１）と吊糸（４０）で吊ることを特徴とする請求項１記載の回転くす玉。
【請求項３】
複数の半折りして重ねた半楕円環状シート（１１ａ）を、直線縁（１３）に平行な折線（１４）で一方向に折り曲げ、前記直線縁（１３）で軸管（１７）周に接合し、更に前記半楕円環状シート（１１ａ）の中心（１８）を通る複数の放射直線の接着線（１５）で相隣る接着線（１５）と接合面方向を違えて接合し、前記軸管（１７）周りに展張することを特徴とする請求項２記載の回転くす玉。
【請求項４】
複数枚重ねた円環状シート（１１ｂ）を、中心（１８）を通る等角度間隔の複数の放射直線で区切った前記円環状シート（１１ｂ）の内径両端と中央を通る３本の平行な接着線（１５）を中心（１８）放射直線に対して一方向に傾斜して設け、内径端で交叉する前記接着線（１５）間の面を上から上下２枚毎にシート間で面接合し、残りの接着線（１５）を最上下の２枚を除いて上から上下２枚毎にシート間で線接合して展張折畳自在とすることを特徴とする請求項２記載の回転くす玉。
【請求項５】
２０個の６角錐筒状の単花（２０）を１２個の５角形の空隙を設けて接合する球状のくす玉（１０）を特徴とする請求項２記載の回転くす玉。
【発明の詳細な説明】
【技術分野】
【０００１】  本発明は、祭礼用具や装飾具として用いられるくす玉に関するもので、詳しくは風力により回転するくす玉に関する。
【背景技術】
【０００２】  従来の類似の技術としては、多数の半円環状シートをそれらの直径方向の直線縁において接合し、更にそれらの各隣接面の数個所を点着すると共に相隣る点着個所を不一致として、前記の多数シートを蜂の巣状球体に展開又は折畳自在としたくす玉（例えば、特許文献１参照。）があった。また、球殻状の芯部の表面に造花を点着して構成するくす玉（例えば、特許文献２参照。）があった。しかし、風力で回転する構造のくす玉は無かった。
【特許文献１】実用新案公告公報昭３５−５６９３号（図１、２、
【登録請求範囲】
）【特許文献２】実用新案出願公報昭０７−３５７７号（図１、
【登録請求範囲】
）
【発明の開示】
【発明が解決しようとする課題】
【０００３】  従来は、内部に明かりなどを入れたりして静かに吊下げて美しく飾るだけのものであって、動きが少なく面白味が必ずしも大きくなかった。
本発明は、弱風でも回転して動的変化を付与する装飾効果や観賞効果の高いくす玉とするためのものである。
【課題を解決するための手段】
【０００４】  軸（３０）と、花軸（１２３、２２３）を前記軸（３０）放射直線に対して一方向に傾斜して複数の花部（１２、２２）を球状あるいは円筒状等に形成するくす玉（１０）と、縒り戻し具（４１）と、吊糸（４０）とを備え、前記くす玉（１０）を前記軸（３０）に接続し、前記軸（３０）を前記縒り戻し具（４１）を介して前記吊糸（４０）で吊って回転自由に支持する構成である。
【発明の効果】
【０００５】  くす玉（１０）は複数花部（１２）の花軸（１２３）を軸（３０）周りに一方向に傾斜、偏心させて取付けてあるため、花部（１２）に風を受けると軸（３０）周りの回転力を得て一種の風車羽根となって回転抵抗の殆ど無い吊糸（４０）を捻って回転する。風が強く、或一定以上の回転力が掛かかっても、縒り戻し具（４１）内部で摺動、回転して吊糸（４０）および軸（３０）には一定以上の回転力は掛からない。そして、風が止むと、吊糸（４０）に残っている縒り戻し力で回転振子運動の反転、正転を暫く繰り返した後、やがて停止する。
このように、くす玉（１０）は弱風から強風時まで風力で回転することができる。即ち、従来の装飾性に風で回る動的変化を付与するものである。
したがって、くす玉（１０）は七夕の飾りとして、または花壇等上の吊飾りとして、あるいは、室内空調設備の送風空気流の中に吊るして飾ると、僅かな空気の動きや風で揺れながら回転し、面白く目を楽しませてくれる。
【発明を実施するための最良の形態】
【０００６】  以下、本発明の特徴を良く表す球状くす玉（１０）の実施形態の一例について説明する。
図１はくす玉（１０）の正面図で、軸管（１７）および軸（３０）の部分を部分断面図で示している。図２は図１に示すＡＡ面から見たくす玉（１０）の平面図で、図３は図１に示す球状くす玉（１０）花部（１２）の製作用平面展開図の半楕円環状シート（１１ａ）である。図４は図３をＢＢ面から見た折線（１４）で折り曲げた後の半楕円環状シート（１１ａ）図である。この半楕円環状シート（１１ａ）を軸管（１７）周りに展張すると風で回るくす玉（１０）となる。
先ず、構造を説明する。図１に示すように、くす玉（１０）は中心部が中空になった蜂の巣状の球殻体で、横周方向に１８区分で且つ縦斜方向に１区分当り９個の計１６２個の菱形錐筒状花部（１２）で構成した例である。そして花部（１２）の花軸（１２３）が、図２、４のβ＝１４°で示すように軸（３０）および軸管（１７）に対して左方向に１４°傾斜して、軸（３０）中心線から左側の花部（１２）が花部外郭（１２１）と花部内郭（１２２）が前方に開き、右側の花部（１２）よりも大きな抵抗を受ける構造となっている。展張調整糸（３３）は縦長球状になり易いくす玉（１０）を中心線の上下部にある軸管（１７）を止具（３１）を介して一定に保持しながら上方の軸（３０）へ接続している。軸（３０）は糸でも針金でもまたは剛性のある棒軸でもよい。そして、くす玉（１０）は軸管（１７）、止具（３１）および軸（３０）を介して縒り戻し具（４１）および吊糸（４０）に接続し、回転自由に支持されている。縒り戻し具（４１）は軸（３０）糸に一定以上の回転力が掛かると内部部材が摺動して吊糸（４０）には一定以上の回転力が掛からない構造となっている。くす玉（１０）は花部（１２）に図２に示すようにＳ方向の横風を受けると、軸（３０）糸を中心にＲで示す時計回りの回転をする。
【作用】
【０００７】本発明の回転くす玉（１０）の作用について図１、２および４に基づいて説明する。
作用１：くす玉（１０）の菱形錐筒状花部（１２）の花軸（１２３）は各軸が図２のβで示すように軸（３０）中心点を通る水平放射直線に対して左方向に傾斜して軸（３０）周りに複数の花部（１２）が同形追尾状に旋回して配置されているため、図１、２のＳ方向の横風が吹くと、回転自由に糸吊されたくす玉（１０）は風の抵抗が軸（３０）の左側で右側よりも大きくなり、Ｒ方向の回転力が生じて時計回りに回転する。そして、吊糸（４０）に縒りが生じて反時計回りの方向の回転力が蓄積されて行く。
作用２：くす玉（１０）は縒り戻し具（４１）を介して軸（３０）および吊糸（４０）に接続されているため、水平方向の大きな回転力が掛かっても、軸（３０）および吊糸（４０）には或一定以上の回転力は縒り戻し具（４１）内部が摺動回転することで掛からない構造となっている。
作用３：くす玉（１０）は風が止むと、作用１の吊糸（４０）に蓄積された反時計回りの回転力で反転し、蓄積された回転力が無くなってもくす玉（１０）の回転慣性力で吊糸（４０）の縒り反力とバランスするまで反転して止まる。その後は、吊糸（４０）の縒り戻しで正転し吊糸（４０）の縒り反力とバランスするまで正転する。このようにして、反転、正転の回転振子運動を繰返してやがて停止する。
つまり、本発明は僅かな風力で回転し吊糸（４０）に縒りが溜り、風が止んでも逆転正転を繰り返す、言わば回転振り子運動で長く回転するくす玉（１０）である。
【０００８】  次に、製作方法の代表的な一例を図３、４に基づき説明する。くす玉（１０）は適度に剛性と塑性のある複数枚のシートに楕円環を描きそれを切出して成形して製作する。図３は花部（１２）を平面展開した半楕円環状シート（１１ａ）で、９枚の楕円環シート（１１）を別々に中心線で二つ折りした直線縁（１３）を左端で重ねた図である。そして直線縁（１３）は後述するが軸管（１７）外周に接合して回転軸とするものであるが、半楕円環状シート（１１ａ）の厚さは説明のため大げさに描いてある。そして、直線縁（１３）に平行に折線（１４）を設け、９本の直線状の接着線（１５）をその延長線が半楕円環の中心（１８）点を通って回転角１５°間隔で回転配置した例である。図４は図３をＢＢ面方向から見た図で半楕円環状シート（１１ａ）を折線（１４）で上方に４５°折り曲げ加工して花軸（１２３）をβで示すように軸管（１７）周からの放射直線に対して１４°傾斜させてある。二つ折りした２枚重ね９組の半楕円環状シート（１１ａ）について、組毎に直線縁（１３）内側に、図示していないが、取付用の糸を挟んだ後、直線縁（１３）と直線縁（１３）寄りの接着線（１５）間のシート内側面は接着剤を塗り接合する。この糸は直線縁（１３）を軸管（１７）に接続、固定するときに役立つ。右隣りの二つ折りで２枚重ねとなっている接着線（１５）を外側へ、その隣の接着線（１５）を内側への順で順次折り曲げて、内側曲げ部の内側に接着剤を塗って接合し４連菱形を作る。次に軸管（１７）に止具（３１）を介して軸（３０）、縒り戻し具（４１）および吊糸（４０）を取付ける。そして９組の４連菱形半楕円環状シート（１１ａ）の直線縁（１３）を接着剤で軸管（１７）に接合し、かつ前述の取付用の糸を軸管（１７）孔に通して結び付ける。次に９組４連菱形の外側に突出した接着線（１５）外側に接着剤を塗って組間の接着線（１５）を接合し、図１、２に示す花部（１２）を組立てる。ただし、接着線（１５）の接合作業は適当なクリップで挟み込んで完全に接合させることが重要である。
【０００９】  くす玉（１０）は弱風で回転振子運動するためには吊糸（４０）が一般的に径が細くて捻り抵抗の小さいものがよく、長さは長いほうがよい。しかし、強風に対しては吊糸（４０）長さはくす玉（１０）径程度または１０ｃｍ程度がよい。
くす玉（１０）がシートの元形へ戻る性質や自重または他の吊飾り（５０）の重さで伸び変形する場合は軸管（１７）間の展張調整糸（３３）長さを調整するとよい。
半楕円環状シート（１１ａ）の縦横径の比は、くす玉（１０）を構成するシート枚数と縦斜め分割数によって変化する。それは球状に展張する時に図３の展開図の半環状長が接着線（１５）で横に折り曲げられて円弧長が横径方向で縦径よりも多く縮小するためである。そのため、シート展開図は縮小代を計算して前以て横径の長い半楕円環状にしてあり、図１のくす玉（１０）に加工、組立、展張すると球状になる。また、くす玉（１０）は半楕円環状シート（１１ａ）の環状幅、即ち外径と内径の差が小さい方が加工し易くかつ軽量となる。
【００１０】  半楕円環状シート（１１ａ）用の材料は適度に剛性および塑性があって折り曲げ加工し易いものが好ましい。七夕用くす玉（１０）としては雨に濡れても強いプラスチック、合成繊維や金属等が適している。また、インテリア用としては、雨に濡れる心配も無く紙類も使用できる。
【実施例１】
【００１１】  円筒形のくす玉（１０）の一例を説明する。図５は円筒形くす玉（１０）例の正面図である。図６はその平面図で下半分はＣＣ断面図であり、図７は花部（１２）の平面展開図である。
この円筒形くす玉（１０）は、図５に示すように、上下台シート（１１ｄ）で挟んだ６枚の円環状シート（１１ｂ）を下記の方法で接合し、展張すると蜂の巣状の円筒形になる例である。その方法は、前記円環状シート（１１ｂ）を中心（１８）を通る６０°間隔の６本の放射状直線で６区に区切り、その区切りされた円環状シート（１１ｂ）の内径両端と中央を通る３本の接着線（１５）を平行させて、かつ、軸（３０）放射直線に対して一方向に傾斜させて設け、内径端で交叉する接着線（１５）間の塗つぶしを施した面を上から上下２枚毎に接合し、残りの接着線（１５）を最上下の２枚を除いて上から上下２枚毎にシート間で接合し全体を上下に展張する方法であって、接着線（１５）は全て水平の面接合および線接合で成る安定構造となっている。
そして上下端の円環状シート（１１ｂ）は吊支柱（１６）を介して取付糸（３２）、展張調整糸（３３）および台シート（１１ｄ）を介して止具（３１）および軸（３０）に接続し、さらに縒り戻し具（４１）を介して回転自由に吊糸（４０）で吊下げ、支持されている。くす玉（１０）円筒殻部の花部（１２）形は菱形と６角形の２種類で構成し、展張調整糸（３３）の長さを調整して前述の花部（１２）形を縦角６０°の菱形と正６角形に定めてある。
台シート（１１ｄ）は周辺に糸孔（１１ｄ１）を設けた剛性質の円環状で、この糸孔（１１ｄ１）を通して取付糸（３２）を介して花部（１２）を吊ることで花部（１２）が上下に開き展張して全体の吊形が円筒殻状となる。取付糸（３２）は他端を止具（３１）および軸（３０）に接続している。そして花部（１２）は吊上げた時の垂下形が円筒殻状で花軸（１２３）が中心軸に向って左方向に傾斜、偏心、旋回した蜂の巣状になっている。くす玉（１０）は花軸（１２３）の傾斜角（β）が、図６に示すように、軸（３０）に向って左方向へ１８．８°傾いていて、横風ＳによりＲで示す時計回りに回転する例である。
そして、この円筒形くす玉（１０）は平面上に吊下すと、取付糸（３２）が緩んで花部（１２）が自重により図７に示す平面展開図状態に折畳まれる構造である。【００１２】  花部（１２）は下記の方法で作ると簡単である。
図７は花部（１２）を平面展開した円環状シート（１１ｂ）図で６枚を重ねたものである。内径端で交叉した接着線（１５）で挟まれた塗つぶし面を上から２枚ごとに相合わさる上下面を６枚共接合し、残りのフリーの接着線（１５）を上下に開けて菱形に折り曲げ、最上下のシートを除いて接着線（１５）の各外側に接着剤を塗り、各上下間の接着線（１５）を線で合わせて接合する。最上下のシートについては接着線（１５）の内側に図５、６に示す吊支柱（１６）を挿入して接合し、接着線（１５）の中央部に外側から孔を空けて取付糸（３２）の一端を吊支柱（１６）中央に結び付けて仕上げる。
【実施例２】
【００１３】  ２０個の６角錐筒状の単花（２０）を筒側面で接合して蜂の巣状の球殻体にした、くす玉（１０）の一例を説明する。
図８は単花（２０）から成るくす玉（１０）の正面図である。図９はその平面図で、花軸（２２３）の傾斜角（β）が軸（３０）に向って左方向へ１８°傾斜して横風Ｓで、回転する方向Ｒは時計回りの例である。図１０は単花（２０）の平面展開図（シート）である。
くす玉（１０）は、２０個の６角錐筒で成る単花（２０）の連続しない１側面飛びの３側面を接着面（２５）として、５個の単花（２０）の接着面（２５）でない側面で一つの５角錐筒状の空殻を作りながら各接着面（２５）に別単花（２０）の接着面（２５）を面と面で合わせてすべて接合した、図８、９に示す蜂の巣状の球殻体構造である。単花部（２０）の配置はすべて点対称形で、花軸（２２３）はすべて軸（３０）に対して左方向に傾斜し、追尾形状となっている。そして、図９に示すように中心の５角形の周りに６角形が５個、さらにその外側に５個の５角形を両隣りに挟んで５個の６角形が平行に接合した配置となっている。この上極部の５角錐筒に取付孔（２２５）を設け、取付糸（３２）を取付けて、軸（３０）、縒り戻し具（４１）および吊糸（４０）を接続し、下極部の５角錐筒に取付糸（３２）、止具（３１）および他吊飾り（５０）を接続してくす玉（１０）を回転自由に支持する構成である。【００１４】  単花（２０）の作り方を簡単に説明する。図１０の単花（２０）の平面展開図を花部（２２）用シート（２１）に描くかまたは貼り付けして、実線部のシート状花部（２２）１０枚と実線部と一部点線部に変えたシート状花部（２２）１０枚を切出す。前者の１０枚は６本の折線（２４）を上面側に約６０°に折り曲げ、のり代（２２４）上面に接着剤を塗って、その部分を左端の花部（２２）端側に裏面側から端部を揃え合わせて接合し、６角錐筒状の単花（２０）を作る。後者の１０枚中の５枚は前者と同じ方法で作り、残りの５枚は折り曲げ方向を裏面側に変えて同様な方法で単花（２０）を作る。
次に、くす玉（１０）球殻体の接合、組立方法を説明する。前者の単花（２０）１０個の花部（２２）は基準面（２２Ｓ）を上にして半高ずれ１個飛びの千鳥足状に、即ち５個を横方向に１個飛びに並べ、５個を半高下げて前者の間に１個飛びに並べて隣接する側面と側面の接着面（２５）を接合し、その１０連個の単花（２０）の両端部接着面（２５）を合わせて環状に接合する。後者の単花（２０）５個２組は組別の５個の基準面（２２Ｓ）を向き合わせて５角錐筒を作って両上側面の接着面（２５）を接合する。次に前者の環状に接合された花部（２２）の半高に配置された基準面（２２Ｓ）に後者の前組で接合した花部（２２）の下側基準面（２２Ｔ）を上側から合わせて接合し、前者の下側に配置された花部（２２）の下側基準面（２２Ｔ）に後者の後組の下側基準面（２２Ｔ）を下側から合わせてくす玉（１０）球殻体を接合し完成させる。【００１５】  また、くす玉の球殻を地球儀同様に経度（地軸を１辺とする面で切る）、緯度（地軸が中心軸で地球中心を頂点とする円錐面で切る）で分割し、それぞれの部分を花軸（２２３）が傾斜した４角錐筒状の単花（２０）で作り、それらを球殻状に接合すれば、前述の実施例２と同様に風で回るくす玉（１０）を作ることができる。
また、花部（１２、２２）に別の単花（２０）を多重に重合させて飾ることもできる。
また、くす玉（１０）は球状や円筒状の他に卵状や円錐筒状、瓢箪状等の多様な形状をとることができる。
また、くす玉（１０）は中空の構造であるため、大きなくす玉（１０）の中に小さなくす玉（１０）を入れた多重型のくす玉（１０）も作ることができる。
また、軸周に摺動部（軸受）を設けた軸（３０）でくす玉（１０）を回転自由に支持し、玩具風車とすることもできる。
【図面の簡単な説明】
【００１６】
【図１】  半楕円環シート（１１ａ）展開型の球状くす玉（１０）実施例の正面図で、部分断面図を含む
【図２】  図１のくす玉（１０）部のＡＡ面から見た平面図
【図３】  図１のくす玉（１０）部の平面展開図（シート）
【図４】  図３の折線（１４）曲げ後の半楕円環状シート（１１ａ）をＢＢ面から見た図
【図５】  実施例１の筒状くす玉（１０）の正面図
【図６】  図５の平面図で、下半分はＣＣ断面図である。
【図７】  実施例１の筒状くす玉（１０）の展開図
【図８】  実施例２の単花（２０）から成る球状くす玉（１０）の正面図
【図９】  図８の平面図
【図１０】  単花（２０）の平面展開図
【符号の説明】
【００１７】  １０    くす玉
１１    シート、    １１ａ    半楕円環状シート、
１１ｂ    円環状シート、    １１ｄ    台シート、    １１ｄ１    糸孔
１２    花部、    １２１    花部外郭、    １２２    花部内郭、
１２３    花軸
１３    直線縁、    １４    折線、    １５    接着線、１６    吊支柱、
１７    軸管、    １８    中心
２０    単花、    ２１    シート、    ２２    花部、
２２１    花部外郭、    ２２２    花部内郭、    ２２３    花軸、
２２４    のり代、    ２２５    取付孔、    ２２Ｓ    基準面、
２２Ｔ    下側基準面
２４    折線、    ２５    接着面
３０    軸、    ３１    止具、    ３２    取付糸、    ３３    展張調整糸
４０    吊糸、    ４１    縒り戻し具
５０    他の吊飾り
Ｒ    くす玉（１０）回転方向、    Ｓ    風の方向、
β    花軸（１２３、２２３）のくす玉（１０）中心または中心線からの放射直線に対する傾斜角
【図１】
2006087860.tif 000003
【図２】
2006087860.tif 000004
【図３】
2006087860.tif 000005
【図４】
2006087860.tif 000006
【図５】
2006087860.tif 000007
【図６】
2006087860.tif 000008
【図７】
2006087860.tif 000009
【図８】
2006087860.tif 000010
【図９】
2006087860.tif 000011
【図１０】
2006087860.tif 000012